(57)【要約】【課題】装置支持ケースの前端のリム部に対する接続部分の止水性を向上する。装置支持ケースのリム部からの取り外しが容易となる。【解決手段】ボウル部２の上端縁に沿ってリム部３を形成した便器本体４と、この便器本体４の後部に配置された局部洗浄装置５を有する装置支持ケース６を備える。局部洗浄装置５に設けた洗浄ノズルをリム部３に設けた開口部７を介してボウル部２内に突出自在とする。リム部３における開口部７の後方位置にこの開口部７に沿って上向き突条９を突出する。装置支持ケース６の前端部の下面側に嵌め込み凹部８を形成し、この嵌め込み凹部８を突条９に嵌め込むと共に嵌め込み凹部８と突条９との間に弾性を有する止水材１０を介して嵌込み結合する。装置支持ケース６に嵌め込み凹部８の溝巾を広げるように操作するための操作部１１を設ける。【選択図】        図１
2011174256.tif 000002
【特許請求の範囲】
【請求項１】
ボウル部の上端縁に沿ってリム部を形成した便器本体と、この便器本体の後部に配置された局部洗浄装置を有する装置支持ケースを備え、前記局部洗浄装置に設けた洗浄ノズルを前記リム部に設けた開口部を介してボウル部内に突出自在とした便器であって、前記リム部における前記開口部の後方位置にこの開口部に沿って上向き突条を突出し、前記装置支持ケースの前端部の下面側に嵌め込み凹部を形成し、この嵌め込み凹部を前記上向き突条に嵌め込むと共に前記嵌め込み凹部と前記上向き突条との間に弾性を有する止水材を介して嵌込み結合し、前記装置支持ケースに前記嵌め込み凹部の溝巾を広げるように操作するための操作部を設けて成ることを特徴とする便器。
【請求項２】
前記装置支持ケースの前記嵌め込み凹部を形成した部分の両側にスリットを形成して成ることを特徴とする請求項１記載の便器。
【発明の詳細な説明】
【技術分野】
【０００１】
本願発明は、洗浄ノズルを備えた便器に関するものである。
【背景技術】
【０００２】
従来から、ボウル部の上端縁に沿ってリム部を形成した便器本体の後部に装置支持ケースを配設し、装置支持ケースに設けた洗浄ノズルをリム部に設けた開口部を介してボウル部内に突出自在とした便器が特許文献１、特許文献２等により知られている。
【０００３】
上記構成の便器は、床に固定される便器用フレームの前部に便器本体を取付け、便器用フレームの後部に装置支持ケースを取付けている。
【０００４】
そして、便器本体のリム部に対しては、装置支持ケースの前端を、リム部における開口部の後方位置に突出した上向き突条に当てると共に前端下面をリム部に止水材を介して載置している。
【先行技術文献】
【特許文献】
【０００５】
【特許文献１】特開２００９−２７０２７５号公報
【特許文献２】特開２００８−９５４６０号公報
【発明の概要】
【発明が解決しようとする課題】
【０００６】
しかしながら前記従来例にあっては、装置支持ケースの前端が単にリム部に止水材を介して載置しているだけなので、止水材を介在しているといえども部品の寸法ばらつきにより止水が不安定であった。
【０００７】
本願発明は上記の従来の問題点に鑑みて発明したものであって、その目的とするところは、装置支持ケースの前端のリム部に対する接続部分の止水性を向上し、装置支持ケースのリム部からの取り外しが容易となる便器を提供するにある。
【課題を解決するための手段】
【０００８】
本願発明の便器は、ボウル部の上端縁に沿ってリム部を形成した便器本体と、この便器本体の後部に配置された局部洗浄装置を有する装置支持ケースを備え、前記局部洗浄装置に設けた洗浄ノズルを前記リム部に設けた開口部を介してボウル部内に突出自在とした便器であって、前記リム部における前記開口部の後方位置にこの開口部に沿って上向き突条を突出し、前記装置支持ケースの前端部の下面側に嵌め込み凹部を形成し、この嵌め込み凹部を前記上向き突条に嵌め込むと共に前記嵌め込み凹部と前記上向き突条との間に弾性を有する止水材を介して嵌込み結合し、前記装置支持ケースに前記嵌め込み凹部の溝巾を広げるように操作するための操作部を設けて成ることを特徴とする。
【０００９】
また、前記装置支持ケースの前記嵌め込み凹部を形成した部分の両側にスリットを形成することが好ましい。
【発明の効果】
【００１０】
本願発明は、装置支持ケースの前端部のリム部への接続部分の止水性を向上できる。また、分解の際に操作部を操作して嵌め込み凹部の溝巾を広げて簡単に嵌め込み凹部を突起から外すことができ、取り外しが容易に行える。
【図面の簡単な説明】
【００１１】
【図１】本願発明の便器の一実施形態の要部断面図である。
【図２】同上の嵌め込み凹部の上向き突条への嵌込み結合部分の拡大断面図である。
【図３】同上の装置支持ケースの前端部の拡大斜視図である。
【図４】同上の便器の後方から見た一部省略斜視図である。
【図５】同上の便器本体の後方から見た斜視図である。
【発明を実施するための形態】
【００１２】
以下、添付図面に示す実施形態に基づいて説明する。
【００１３】
便器１は、図１、図４に示すように、便器本体４の後部に便器付属機能装置１４を備えている。便器付属機能装置１４は、装置支持ケース６に人体の局部に温水を噴出して洗浄するための局部洗浄装置５、人体の局部に温風を送風して乾燥するための温風乾燥装置（図示せず）、制御部（図示せず）等を取付けて構成している。また、この便器１は図示を省略しているが回動自在な便座、便蓋を備えている。
【００１４】
なお、以下の説明で「後」、「前」とは、便器本体４の便座に人が通常の使用状態で座った際に背面となる側を「後」、正面となる側を「前」と定義して説明する。
【００１５】
便器本体４は、ボウル部２の上端縁に沿ってリム部３を形成すると共に、ボウル部２とリム部３の前及び両側をスカート部３４で覆うことで構成している。
【００１６】
リム部３は、外周壁１６の上端部から内周に横向き片部１７を一体に突設し、横向き片部１７の先端部に内周壁１５を一体に突出し、ボウル部２の上端部、外周壁１６、横向き片部１７により平面視環状をした流水路を形成している。流水路の後部の左右方向の一端部に洗浄水の供給口３３を設けており、供給口３３から供給された水が環状の流水路を流れながら渦を巻くようにボウル部２内に流下してボウル部２を洗浄するようになっている。
【００１７】
内周壁１５の上端部から外周方向に上面部１８を一体に突出し、平面視環状をしたリム部３の後部は図１、図５に示すように上面部１８の両側の後部が斜め後上方に向けて傾斜する傾斜上面部１８ａとなっており、この傾斜上面部１８ａの上端から上方に立ち上がり片１９を突出している。したがって、リム部３の後部の横向き片部１７と傾斜上面部１８ａとの間に後方に開口する凹所２０を形成している。
【００１８】
この凹所２０部分において、リム部３に開口部７を形成している。図１の実施形態では凹所２０を構成する上面部１８前部からリム部３の内周壁１５にわたって形成している。もちろん、開口部７を内周壁１５のみ、あるいは上面部１８のみに形成してもよい。
【００１９】
図５に示すように、上面部１８の開口部７の両側方に側壁片２１が上方に突出しており、側壁片２１の前端は内周壁１５に一体に接続している。
【００２０】
上面部１８の開口部７の後方位置にこの開口部７に沿って上向き突条９を突出している。
【００２１】
このような構成の便器本体４は、図４に示すように、床に固定される便器用フレーム２２の前部にボルト、ナットのような固着具を用いて固定される。
【００２２】
図１、図２、図３に示すように、装置支持ケース６の前端部中央の下面に下方に開口する嵌め込み凹部８を形成している。嵌め込み凹部８の両側には図３に示すように、前端から後方に向けてスリット１２を形成しており、また、図２に示すように、嵌め込み凹部８の上底片２３にスリット１２間にわたる溝２４を設けて上底片２３の溝２４を設けた部分を薄肉部２５としている。装置支持ケース６は合成樹脂で形成しており、上底片２３の嵌め込み凹部８の両側にスリット１２を設けると共に、薄肉部２５を設けることで、装置支持ケース６の前端部の嵌め込み凹部８を形成した部分を弾性変形可能としている。嵌め込み凹部８内の略後半分には左右方向にわたって弾性を有する止水材１０を取付けている。
【００２３】
図２、図３に示すように、装置支持ケース６の前端部の嵌め込み凹部８を形成した部分の上面両側から上方に操作部１１を突出している。
【００２４】
また、嵌め込み凹部８の前部片が爪部２６となっており、この爪部２６の前面は図２、図３に示すように上に行く程前となるように傾斜したガイド面２７となっている。
【００２５】
このような構成の装置支持ケース６は、前端部を便器本体４に設けた凹所２０に後方から差し込む。装置支持ケース６を凹所２０に差し込むと、ガイド面２７が上向き突条９に当たる。ここで、更に装置支持ケース６を前方に移動させることで、爪部２６がガイド面２７をガイドとして薄肉部２５を中心に上向きに回動してはめ込み凹部８の前後方向の開口巾が広げられる。更に前方に移動すると、爪部２６が上向き突条９を乗り越え、爪部２６が弾性復元して嵌め込み凹部８が上向き突条９に嵌まり込む。この場合、弾性を有する止水材１０の前面が上向き突条９の後面に弾性的に密着して止水性を保つようになっている。
【００２６】
嵌め込み凹部８が上向き突条９に嵌まり込んで位置決めがなされた後に、装置支持ケース６を便器用フレーム２２の後部にボルト、ナットのような固着具３１を用いて固定する。
【００２７】
装置支持ケース６の取付けが完了すると図４のように、上カバー３２を着脱自在に取付けて装置支持ケース６を覆う。更に、図示を省略しているが、側カバー、後カバーを着脱自在に取付けて便器用フレーム２２の後部側方及び後方を覆う。
【００２８】
図１に示すように、装置支持ケース６には局部洗浄装置５が取付けられるが、局部洗浄装置５にはノズルガイド筒２８が設けてあり、このノズルガイド筒２８に出し入れ自在に洗浄ノズル１３を収納している。
【００２９】
ノズルガイド筒２８の上面の前端部から飛散防止板２９を前方に突出させ、飛散防止板２９の前端部に開閉蓋３０の上端を回動自在に取付けており、この開閉蓋３０がリム部３の内周壁１５に設けた開口部７を開閉自在としている。
【００３０】
洗浄ノズル１３は使用時にノズルガイド筒２８から前方に突出し、開閉蓋３０を回動させて開口部７を経てボウル部２内に突出し、突出位置で洗浄水を吐出して人体の局部を洗浄する。洗浄ノズル１３は人体の局部の洗浄動作が終わると後退してノズルガイド筒２８内に収納される。
【００３１】
洗浄ノズル１３が後退して収納されると、開閉蓋３０が自重で回動して閉じる。
【００３２】
また、洗浄ノズル１３は、洗浄ノズル１３が収納された直後に温水を吐出してクリーニング洗浄される。
【００３３】
このクリーニング洗浄の際の水、あるいは、外部から水、あるいは尿などの汚水が飛散して装置支持ケース６の前端部のリム部３への接続部分から内部に浸入しようとする。しかし、図２に示すように、嵌め込み凹部８を上向き突条９に嵌め込むと共に嵌め込み凹部８と上向き突条９との間に弾性を有する止水材１０を介して嵌込み結合しているので、装置支持ケース６の前端部のリム部３への接続部分の止水性を向上できる。これにより、部材の寸法誤差があっても、装置支持ケース６の前端から下面側に水が浸入するのが防止されることになる。
【００３４】
一方、便器付属機能装置１４の保守、点検、修理、交換等に当たって便器付属機能装置１４を取り外す場合がある。
【００３５】
この場合は、まず、上カバー３２を外し、便器用フレーム２２を装置支持ケース６に固着している固着具３１を外す。次に、操作部１１を指で摘んで後方（図３の矢印方向）に引いて薄肉部２５部分を中心に爪部２６を上向きに回動して上向き突条９から外し、この状態で装置支持ケース６を後方に引き抜くことで便器付属機能装置１４を簡単に取り外すことができる。
【符号の説明】
【００３６】
１  便器
２  ボウル部
３  リム部
４  便器本体
５  局部洗浄装置
６  装置支持ケース
７  開口部
８  嵌め込み凹部
９  突条
１０  止水材
１１  操作部
１２  スリット
１３  洗浄ノズル
【図１】
2011174256.tif 000003
【図２】
2011174256.tif 000004
【図３】
2011174256.tif 000005
【図４】
2011174256.tif 000006
【図５】
2011174256.tif 000007